(57)【要約】【課題】枠組壁工法により建築する建物において、開口部の壁パネルの割り付けを効率良く行うことにより、材料の無駄をなくすことが可能な壁パネルの割付装置、割付プログラムおよび割付方法の提供。【解決手段】壁パネルを施工する枠組の位置と開口部の位置とを含む設計値データを記憶する設計値記憶手段１０と、矩形状の壁パネルの外周４辺のうち１辺を枠組の開口部の周縁を構成する枠の位置に合わせて配置することにより壁パネルの割り付けを行う壁パネル割付手段１４とを有し、壁パネルを施工する枠組の位置と開口部の位置とを含む設計値データに基づき、矩形状の壁パネルの外周４辺のうち１辺を枠組の開口部の周縁を構成する枠の位置に合わせて配置することにより壁パネルの割り付けが行われる。【選択図】  図１
2007046315.tif 000002
【特許請求の範囲】
【請求項１】
壁パネルを施工する枠組の位置と開口部の位置とを含む設計値データを記憶する設計値記憶手段と、
矩形状の壁パネルの外周４辺のうち１辺を前記枠組の前記開口部の周縁を構成する枠の位置に合わせて配置することにより前記壁パネルの割り付けを行う壁パネル割付手段と
を有する枠組壁工法により建築する建物の壁パネルの割付装置。
【請求項２】
前記壁パネル割付手段は、前記矩形状の壁パネルの外周４辺のうち長辺の１辺を前記枠組の前記開口部の周縁を構成する縦枠、窓台、まぐさまたはまぐさ受けの位置に合わせて配置することを特徴とする請求項１記載の枠組壁工法により建築する建物の壁パネルの割付装置。
【請求項３】
壁パネルを施工する枠組の位置と開口部の位置とを含む設計値データを記憶する設計値記憶手段と、
矩形状の壁パネルの外周４辺のうち１辺を前記枠組の前記開口部の周縁を構成する枠の位置に合わせて配置することにより前記壁パネルの割り付けを行う壁パネル割付手段と
してコンピュータを機能させるための枠組壁工法により建築する建物の壁パネルの割付プログラム。
【請求項４】
壁パネルを施工する枠組の位置と開口部の位置とを含む設計値データを入力するステップと、
矩形状の壁パネルの外周４辺のうち１辺を前記枠組の前記開口部の周縁を構成する枠の位置に合わせて配置することにより前記壁パネルの割り付けを行うステップと
を含む枠組壁工法により建築する建物の壁パネルの割付方法。
【発明の詳細な説明】
【技術分野】
【０００１】
本発明は、枠組壁工法により建築する開口部を含む建物の壁パネルの割付装置、割付プログラムおよび割付方法に関する。
【背景技術】
【０００２】
枠組壁工法（いわゆるツーバイフォー（２×４）工法）は、断面が３８×８９ｍｍの木材で組まれた枠組に構造用合板その他これに類するものを打ち付けた床および壁により建物を建築する工法である。枠組壁工法は、床板と耐力壁によって建物を一体化し、一種の箱を組み立てることを基本とした工法であり、安全上必要な技術的基準が定められている（例えば、非特許文献１参照。）。
【０００３】
図５は壁ユニットの組立図、図６は図５の壁ユニットに割り付けた壁パネルの割付図である。例えば、図５および図６に示すように、開口部３０まわりに構造用合板や構造用パネル等の壁パネル４０を張る場合、壁パネル４０同士の接合部４１が開口部３０の縁部の線上に重ならないように張ることになっている（例えば、非特許文献１のｐ．７９の参考図４．１０．７．２−２参照。）。そのため、従来のＣＡＤ（Computer Aided Design：コンピュータ  エイディッド  デザイン）装置では、通常、壁パネルの割り付けをこの規則に従って行う（例えば、特許文献１参照。）。
【０００４】
【特許文献１】特開２００１−１９３２１４号公報（図６）
【非特許文献１】住宅金融公庫監修，枠組壁工法住宅工事共通仕様書（解説付），平成１５年改訂第２版，財団法人住宅金融普及協会発行，２００４年
【発明の開示】
【発明が解決しようとする課題】
【０００５】
ところが、このような割り付けを行った場合、壁パネル４０の開口部３０に相当する部分を切除しなければならない。この切除部分４２ａ，４２ｂは他の部分の材料として利用できれば良いが、一般的にこの切除した小さな材料を利用できるような箇所はない。そのため、この切除部分４２ａ，４２ｂの材料が無駄となり、廃材が増えることで建築コストが増大する。
【０００６】
そこで、本発明は、枠組壁工法により建築する建物において、開口部の壁パネルの割り付けを効率良く行うことにより、材料の無駄をなくすことが可能な壁パネルの割付装置、割付プログラムおよび割付方法を提供することを目的とする。
【課題を解決するための手段】
【０００７】
本発明の枠組壁工法により建築する建物の壁パネルの割付装置は、壁パネルを施工する枠組の位置と開口部の位置とを含む設計値データを記憶する設計値記憶手段と、矩形状の壁パネルの外周４辺のうち１辺を枠組の開口部の周縁を構成する枠の位置に合わせて配置することにより壁パネルの割り付けを行う壁パネル割付手段とを有するものである。
【０００８】
本発明の枠組壁工法により建築する建物の壁パネルの割付方法は、壁パネルを施工する枠組の位置と開口部の位置とを含む設計値データを入力するステップと、矩形状の壁パネルの外周４辺のうち１辺を枠組の開口部の周縁を構成する枠の位置に合わせて配置することにより壁パネルの割り付けを行うステップとを含む。
【０００９】
本発明の壁パネルの割付装置または割付方法によれば、壁パネルを施工する枠組の位置と開口部の位置とを含む設計値データに基づき、矩形状の壁パネルの外周４辺のうち１辺を枠組の開口部の周縁を構成する枠の位置に合わせて配置することにより壁パネルの割り付けが行われるので、壁パネルの開口部に相当する部分を切除する必要がなくなる。
【００１０】
また、本発明の枠組壁工法により建築する建物の壁パネルの割付プログラムは、壁パネルを施工する枠組の位置と開口部の位置とを含む設計値データを記憶する設計値記憶手段と、矩形状の壁パネルの外周４辺のうち１辺を枠組の開口部の周縁を構成する枠の位置に合わせて配置することにより壁パネルの割り付けを行う壁パネル割付手段としてコンピュータを機能させるためのものである。このプログラムを実行したコンピュータによれば、上記本発明の割付装置と同様の作用、効果を奏することができる。
【発明の効果】
【００１１】
矩形状の壁パネルの外周４辺のうち１辺を枠組の開口部の周縁を構成する枠の位置に合わせて配置することにより壁パネルの割り付けを行う構成により、壁パネルの開口部に相当する部分を切除する必要がなくなるので、開口部の壁パネルの割り付けを効率良く行うことができ、材料の無駄をなくすことが可能となる。
【発明を実施するための最良の形態】
【００１２】
図１は本発明の実施の形態における壁パネルの割付装置のブロック図である。なお、本発明の実施の形態における枠組壁工法により建築する建物の壁パネルの割付装置は、キーボード、ポインティングデバイス等の入力装置、ディスプレイ等の表示装置や、プリンタ等の印刷装置などを備えたコンピュータ上で、割付プログラムを実行することにより実現される。
【００１３】
図１において、本実施形態における壁パネルの割付装置は、枠組壁工法により建築する建物の壁パネルを施工する枠組の位置と開口部の位置とを含む設計値データを記憶する設計値記憶手段１０と、枠組を構成する板材の各部寸法や壁パネルの各部寸法等の基準寸法データを記憶する基準寸法記憶手段１１と、壁パネルの割り付け結果を記憶する割付結果記憶手段１２とを有する。
【００１４】
また、本実施形態における壁パネルの割付装置は、枠組壁工法により建築する建物の各種設計データを入力するためのＣＡＤ入力手段１３を備える。設計値記憶手段１０および基準寸法記憶手段１１にそれぞれ記憶されるデータは、このＣＡＤ入力手段１３により直接入力されるか、あるいは入力された各種設計データに基づいて自動的に算出される。ＣＡＤ入力手段としては、例えば、本出願人が先に出願した特願２００３−３９７０６６号の意匠データ入力装置等を利用することができる。なお、ＣＡＤ入力手段１３は、本発明の壁パネルの割付装置に必須ではなく、他のＣＡＤ装置により入力されたデータを読み込んで記憶させる構成とすることも可能である。
【００１５】
また、本実施形態における壁パネルの割付装置は、設計値記憶手段１０から設計値データを取得し、さらに基準寸法記憶手段１１から基準寸法データを取得して、壁パネルの自動割り付けを行う壁パネル割付手段１４を有する。壁パネル割付手段１４は、壁パネルの自動割り付けの状態を随時表示装置上へ表示する。ユーザは、この表示装置上へ表示される壁パネルの自動割り付けの状態を見ながら、ＣＡＤ入力手段１３により割り付け状態を変更することもできる。壁パネル割付手段１４は、自動割り付けの結果を割付結果記憶手段１２に記憶する。
【００１６】
ここで、図２および図３を参照して、壁パネル割付手段１４による壁パネルの自動割り付け手順を説明する。図２は図１の割付装置により出力した壁ユニットの組立図、図３は図１の割付装置により出力した壁パネルの割付図である。
【００１７】
壁パネル割付手段１４は、矩形状の壁パネル２０ａ，２０ｂ，２０ｃのそれぞれの外周４辺のうち１辺を枠組の開口部３０の周縁を構成する枠３０ａ，３０ｂ，３０ｃの位置に合わせて配置することにより壁パネル２０ａ，２０ｂ，２０ｃの割り付けを行う。より詳しくは、壁パネル割付手段１４は、矩形状の壁パネル２０ａ，２０ｂ，２０ｃのそれぞれの外周４辺のうち長辺のそれぞれ１辺２１ａ，２１ｂ，２１ｃを枠組の開口部の周縁を構成する枠３０ａ，３０ｂ，３０ｃとしての縦枠、窓台、まぐさまたはまぐさ受けの位置に合わせて配置する。
【００１８】
また、本実施形態における壁パネルの割付装置は、割付結果記憶手段１２に記憶された割り付け結果としての壁パネルの各部寸法を出力する割付結果出力手段１５を備える。壁パネルの自動割り付けの状態は、必要に応じて割付結果出力手段１５により出力する。割付結果出力手段１５としては、表示装置、印刷装置や、フレキシブルディスク、不揮発性メモリ、光ディスク等の外部記憶装置等である。なお、外部記憶装置に出力した場合には、この外部記憶装置を介して壁パネルのプレカット装置へ壁パネルの外部寸法を入力し、プレカット装置により壁パネルを自動プレカットすることが可能である。また、割付結果出力手段１５から通信ネットワークを通じてプレカット装置へ壁パネルの外部寸法を伝送することもできる。
【００１９】
図４は図１の割付装置による処理を示すフロー図である。
上記構成の割付装置では、壁パネルを施工する枠組の位置と開口部の位置とを含む設計値データをＣＡＤ入力手段１３等により入力すると（ステップＳ１００）、入力された設計値データが設計値記憶手段１０に記憶され、この設計値データおよび基準寸法記憶手段１１に記憶された基準寸法データに基づいて、壁パネル割付手段１４により壁パネルの割り付けが自動的に行われる（ステップＳ１０１）。
【００２０】
割り付け結果は割付結果記憶手段１２に記憶され、割付結果出力手段１５により表示装置上へ表示される（ステップＳ１０２）。ユーザは、表示装置上へ表示される壁パネルの自動割り付けの状態を見て、壁パネルの割り付け結果が良いかどうか判断し（ステップＳ１０３）、良くない場合には修正を行う（ステップＳ１０４）。壁パネルの割り付け結果が良い場合、割付結果出力手段１５により割付図を出力する（ステップＳ１０５）。
【００２１】
本実施形態における壁パネルの割付装置では、矩形状の壁パネル２０ａ，２０ｂ，２０ｃの外周４辺のうち１辺を枠組の開口部３０の周縁を構成する枠３０ａ，３０ｂ，３０ｃの位置に合わせて配置することにより壁パネル２０ａ，２０ｂ，２０ｃの割り付けを行うので、従来のように開口部３０に相当する部分を切除（図５および図６参照。）する必要がない。したがって、開口部３０の壁パネルの割り付けを効率良く行うことができ、材料の無駄をなくすことが可能である。
【産業上の利用可能性】
【００２２】
本発明の壁パネルの割付装置、割付プログラムおよび割付方法は、枠組壁工法により建築する開口部を含む建物の壁パネルの割り付けに有用である。特に、本発明は、開口部の壁パネルの割り付けを効率良く行うことにより、材料の無駄をなくすことが可能な点で好適である。
【図面の簡単な説明】
【００２３】
【図１】本発明の実施の形態における壁パネルの割付装置のブロック図である。
【図２】図１の割付装置により出力した壁ユニットの組立図である。
【図３】図１の割付装置により出力した壁パネルの割付図である。
【図４】図１の割付装置による処理を示すフロー図である。
【図５】壁ユニットの組立図である。
【図６】図５の壁ユニットに割り付けた壁パネルの割付図である。
【符号の説明】
【００２４】
１０  設計値記憶手段
１１  基準寸法記憶手段
１２  割付結果出力手段
１３  ＣＡＤ入力手段
１４  壁パネル割付手段
１５  割付結果出力手段
２０ａ，２０ｂ，２０ｃ  壁パネル
３０  開口部
３０ａ，３０ｂ，３０ｃ  枠
【図１】
2007046315.tif 000003
【図２】
2007046315.tif 000004
【図３】
2007046315.tif 000005
【図４】
2007046315.tif 000006
【図５】
2007046315.tif 000007
【図６】
2007046315.tif 000008